【手続補正書】
【提出日】平成17年1月7日(2005.1.7)
【手続補正１】
【補正対象書類名】特許請求の範囲
【補正対象項目名】全文
【補正方法】変更
【補正の内容】
【特許請求の範囲】
【請求項１】
眼の中に挿入され固定される眼内レンズであって、
前側、後側および外周エッジを備え、あらかじめ選択された光学効果を生じる光学手段と、
前記の光学手段に結合される支持手段とからなり、
前記の支持手段は、前記の光学手段から外の方向にあり、かつ、虹彩の少なくとも一部を、その全厚さより浅い深さまで侵入可能な固定手段を含むことを特徴とし、
これにより、固定手段を虹彩の中に侵入するときに眼の中に容易に移植可能であり、目の組織に最小の損傷で容易に挿入、除去可能である眼内レンズ。
【請求項２】
請求項１に記載された眼内レンズにおいて、前記の支持手段は、複数であって、かつ、可撓性であり、これらの支持手段は、前記の光学手段から外側の方向に存在し、相互に間隔をあけて位置されていて、
少なくとも１つの前記の支持手段は、近位端と遠位端とを含み、近位端は前記の光学手段に結合され、遠位端の端は、尖った先端部であり、前記の支持手段は、前記の光学手段を維持するための、虹彩と間隔をあけて位置される立ち上げ部を含むことを特徴とし、
これにより支持手段の先端部を虹彩の中に侵入するときに眼の中に容易に移植可能である眼内レンズ。
【請求項３】
請求項２に記載された眼内レンズにおいて、前記の支持手段は、近位端と遠位端の間に位置される中間部分を含み、この中間部分は、虹彩の上で眼内レンズを支持する肩部手段を含むことを特徴とする眼内レンズ。
【請求項４】
請求項１に記載された眼内レンズにおいて、前記の固定手段が虹彩の厚さの約１／２まで侵入するように構成され配置されることを特徴とする眼内レンズ。
【請求項５】
請求項１に記載された眼内レンズにおいて、さらに、前記の光学手段から反対方向に存在する２対の支持手段を含み、各対の遠位端は、相互に内側方向に近づいていることを特徴とする眼内レンズ。
【請求項６】
請求項１に記載された眼内レンズにおいて、さらに、前記の光学手段から反対方向に存在する２対の支持手段を含み、各対の遠位端は、外側方向に相互に離れていることを特徴とする眼内レンズ。
【請求項７】
請求項１に記載された眼内レンズにおいて、前記の光学手段は折り畳み可能であることと特徴とし、これにより、前記の眼内レンズは小切開技術で、眼の組織への損傷が少ない状態で、挿入可能である眼内レンズ。
【請求項８】
眼の中に挿入され固定され、虹彩に取り付けられる眼内レンズであって、
前側、後側および外周エッジを備え、あらかじめ選択された光学効果を生じる光学手段と、
前記の光学手段に結合される少なくとも１個の支持手段と、
前記の支持手段の少なくとも一部に上でまたがるステープル手段とを備えることを特徴とし、
これにより眼内レンズが虹彩にステープル手段を取り付けるときに眼の中に容易に移植可能であり、目の組織に最小の損傷で容易に挿入、除去可能である眼内レンズ。
【請求項９】
請求項８に記載された眼内レンズにおいて、
前記のステープル手段は、第１の弛緩状態から第２の張力状態へ変形可能であることを特徴とし、
これにより、ステープル手段は、張力をかけられて、前記の支持手段に上でまたがり、緩和されて、虹彩に取り付けられ、眼内レンズの位置をその上に固定する眼内レンズ。
【請求項１０】
請求項９に記載された眼内レンズにおいて、前記のステープル手段は、圧縮されて、張力のかかった状態におかれ、支持手段の上に置かれ、弛緩されることを特徴とし、
これによりステープル手段が拡がって、虹彩に取り付けられ、眼内レンズの位置を固定する眼内レンズ。
【請求項１１】
請求項９に記載された眼内レンズであって、前記のステープル手段が虹彩の厚さの約１／２まで侵入することを特徴とする眼内レンズ。
【請求項１２】
請求項８に記載された眼内レンズであって、さらに、光学手段から外側方向に存在する１対の対向する支持手段を含むことを特徴とする眼内レンズ。
【請求項１３】
請求項９に記載された眼内レンズであって、前記の支持手段は、虹彩から間隔をあけた位置に光学レンズを保持する立ち上げ部を含むことを特徴とする眼内レンズ。
【請求項１４】
請求項９に記載された眼内レンズであって、前記の光学手段は折り畳み可能であることを特徴とし、
これにより、眼内レンズは、小切開技術で、目の組織への損傷が少なくして、挿入可能である眼内レンズ。
【請求項１５】
眼の中に挿入され固定される眼内レンズであって、
前側、後側および外周エッジを備え、あらかじめ選択された光学効果を生じる光学手段と、
前記の光学手段に結合されており、開口を区画する複数の穴を含む支持手段と、
虹彩の上に眼内レンズの位置を固定する留め手段であって、前記の穴の中に挿入され、次に広がって虹彩の組織をつかむ留め手段と
を備える、目の組織に最小の損傷で容易に挿入、除去可能な眼内レンズ。
【請求項１６】
請求項１５に記載された眼内レンズにおいて、
前記の留め手段は、上端と下端を有するシャフトを備え、下端は、可撓性の突起部を備え、上端は、開口の直径よりも大きい直径を有することを特徴とし、
これにより、前記の突起部は、留め手段が開口の中に挿入されるとき、留め手段が開口の中で摺動するように収縮され、さらに、開口を出るとき、虹彩の組織をひっかけ、その中に埋め込まれて、眼内レンズを虹彩に取り付ける眼内レンズ。
【請求項１７】
請求項１６に記載された眼内レンズにおいて、
前記の留め手段は１対の対向する突起部を備えることを特徴とし、
これにより、突起部は、留め手段が開口の中に挿入されるとき、留め手段が開口の中で摺動するように収縮され、留め手段が開口の下へさらに押されるとき、開口の端部を出て拡大して虹彩の組織をひっかけ、その中に埋め込まれ、こうして眼内レンズを虹彩に取り付ける眼内レンズ。
【請求項１８】
請求項１５に記載された眼内レンズにおいて、前記の光学手段は折り畳み可能であることを特徴とする眼内レンズ。
【請求項１９】
請求項１に記載された眼内レンズにおいて、虹彩の侵入が０．１ｍｍから１．０ｍｍの範囲内であることを特徴とする眼内レンズ。
【請求項２０】
眼の中にインプラント可能な、眼の組織に最小の損傷で容易に挿入、除去可能な眼内レンズであって、
前側、後側および外周エッジを備え、あらかじめ選択された光学効果を生じる光学手段と、
前記の光学手段に結合される支持手段と、
前記の眼内レンズの位置を虹彩の上に固定する留め手段とからなり、
前記の留め手段は前記の支持手段と共に動作して、虹彩の組織に係合してつかむ
眼内レンズ。
【請求項２１】
前記の支持手段は開口を含み、前記の留め手段は、前記の開口の中に挿入可能であることを特徴とする請求項２０に記載された眼内レンズ。
【請求項２２】
請求項２１に記載された眼内レンズにおいて、前記の留め手段は、上端と下端を有するシャフトを備え、下端は、突起部を備え、上端は、前記の開口の直径よりも大きい直径を有することを特徴とし、
これにより、留め手段が開口の中に挿入されるとき、突起部は、固定手段が開口の中に摺動するように収縮され、突起部が、開口を出るとき、虹彩の組織をひっかけ、その中に埋め込まれ、こうして眼内レンズを虹彩に取り付ける眼内レンズ。
【請求項２３】
請求項２１に記載された眼内レンズにおいて、前記の留め手段は、上端と下端を有するシャフトを備え、下端は、突起部を備え、上端は、曲線的であって、開口の中に挿入可能であることを特徴とし、
これにより、留め手段が開口の中に挿入されるとき、突起部は、虹彩の組織を突入して、その中に埋め込まれ、こうして眼内レンズを虹彩にしっかり固定する眼内レンズ。
【請求項２４】
眼の中に挿入され固定され、目の組織に最小の損傷で容易に挿入、除去可能な眼内レンズであって、
あらかじめ選択された光学効果を生じる光学手段であって、前側および後側を備える光学手段と、
前記の光学手段に結合されており、前記の光学手段から外の方向にある支持手段とからなり、
上記の支持手段は、眼内レンズを瞳に結合する定着手段を含み、この定着手段は、瞳の開閉を制御する筋肉の間で瞳に取り付け可能である
眼内レンズ。
【請求項２５】
虹彩定着装置を保持し、また、あらかじめ選択された位置に弛緩する器具であり、片手手術技法で使用可能であり、
前記の器具をつかむためのハンドル手段と、
要求があると、虹彩定着装置を保持する手段とからなることを特徴とし、
これにより、前記の虹彩定着装置が虹彩に取り付け可能である、器具。
【請求項２６】
眼内レンズの支持部と共に動作して、眼の虹彩の上に眼内レンズの位置を固定可能な留め部材であって、
上端と下端を有するシャフトを備え、上端は支持部に結合可能であり、下端の端は、虹彩を定着する端部となり、
前記の虹彩を定着する端部の端は、エッジとなっていて、エッジのすぐ近くに切り抜き加工部分を含み、細長い突起部エッジを区画することを特徴とし、
これにより、細長い突起部エッジが虹彩の中に押されたとき、眼内レンズがその上にしっかり固定される留め部材。
【請求項２７】
請求項２６に記載された留め部材において、前記の支持部が開口を含み、前記の留め部材は開口と共に動作して、これにより支持部を虹彩にしっかり固定可能である留め部材。
【手続補正２】
【補正対象書類名】明細書
【補正対象項目名】発明の名称
【補正方法】変更
【補正の内容】
【発明の名称】屈折性眼内インプラント
【手続補正３】
【補正対象書類名】明細書
【補正対象項目名】００１９
【補正方法】変更
【補正の内容】
【００１９】
手術においては、４．０ｍｍのオーダーの切開が眼科の手術医により角膜または強膜に作られる。鉗子または眼内レンズを挿入する器具を用いて、インプラントは、寸法を減少するため折り畳まれ、変形され、または、回転されて、眼の中に挿入され、瞳の開口の上に中心が合わされる。次に、各支持部は、その先端が虹彩を侵入するように操作される。支持部の中間部分１１４は肩部を含み、肩部は、虹彩の上に静止し、先端１１８が侵入できる深さを制限する。